(57)【要約】【課題】地表の７０％程度を占める海で光合成が活発になれば、大気中の炭酸ガスを大量に吸収して、気中炭酸ガス濃度を低下させ、地球温暖化を防止できる。【解決手段】  海水中で海面に浮き上がる状態を維持する浮体１４に、鉄イオン発生材１６を一体に固定する。この鉄イオン発生材１６は、鉄分を含有する金属による塊や繊維や粉体である。鉄イオン発生材１６を鉄分を含む土を固めたものにすると、廉価で特性の良い鉄イオン発生材１６が得られる。浮体１４を自然木をカットして得られた木片にすると、腐食して自然に消滅するので、機能が低下した後は、無害化させることができる。【選択図】図１
2017127201.tif 000002
【特許請求の範囲】
【請求項１】
海水中で海面に浮き上がる状態を維持する浮体と、
上記浮体に一体に固定された鉄イオン発生材からなり、
この鉄イオン発生材は、鉄分を含有する金属による塊、繊維、または粉体から構成されたことを特徴とする海水中の鉄イオン発生装置。
【請求項２】
上記鉄イオン発生材は、鉄分を含む土を固めたものからなることを特徴とする請求項１に記載の海水中の鉄イオン発生装置。
【請求項３】
上記浮体は、自然木をカットして得られた木片からなることを特徴とする請求項１に記載の海水中の鉄イオン発生装置。
【請求項４】
上記浮体は、生分解プラスチックの発泡体または風船により構成されることを特徴とする請求項１に記載の海水中の鉄イオン発生装置。
【請求項５】
上記浮体は、固定された鉄イオン発生材の鉄分による鉄イオン供給機能が低下した後に分解して無害化されるサイズ、重量または形状に設定されていることを特徴とする請求項１に記載の海水中の鉄イオン発生装置。
【請求項６】
鉄分を含む土と炭の粉を混ぜて粉末にしたことを特徴とする請求項１に記載の海水中の鉄イオン発生装置。
【請求項７】
請求項１乃至６のいずれかに記載の海水中の鉄イオン発生装置を海洋上に撒布して自由に浮遊させることを特徴とする大気中の炭酸ガス濃度低減方法。
【請求項８】
請求項１乃至６のいずれかに記載の海水中の鉄イオン発生装置を、港湾内の移動を制約された場所に浮遊させることを特徴とする大気中の炭酸ガス濃度低減方法。
【発明の詳細な説明】
【技術分野】
【０００１】
本発明は、大気中の炭酸ガス濃度を広域にわたって低減するために使用される海水中の鉄イオン発生装置と大気中の炭酸ガス濃度低減方法に関する。
【背景技術】
【０００２】
特許文献１には、海水中に適度な鉄分を供給すると、鉄イオン作用で植物プランクトンが大量に発生するという記述がある。これにより、動物性プランクトンが増えて魚の餌が豊富になる。特許文献１は、その機能を有する魚礁を提供する。
【先行技術文献】
【特許文献】
【０００３】
【特許文献１】特開２００１−７８６１５
【発明の概要】
【発明が解決しようとする課題】
【０００４】
既知の従来の技術には、次のような解決すべき課題があった。
特許文献１は、魚礁を用いて海水中に適度な鉄分を供給して、魚介類等水生生物の増殖等を図っている。一方、海水中の植物プランクトンが大量に発生すると、光合成により炭酸ガスを吸収して酸素を排出する作用が活発になる。これには、大気中の炭酸ガスを吸収する作用がある。しかしながら、海底に沈められる魚礁には太陽光が届きにくい。しかも、魚礁を設置するのは浅瀬や大陸棚であって、広い海洋のごく一部にすぎない。
地表の７０％程度を占める海で光合成が活発になれば、大気中の炭酸ガスを大量に吸収して、気中炭酸ガス濃度を低下させる。これにより、地球温暖化を防止することも可能になる。
上記の課題を解決するために、本発明は、広範囲に物プランクトンを発生させることができる、海水中の鉄イオン発生装置と大気中の炭酸ガス濃度低減方法を提供することを目的とする。
【課題を解決するための手段】
【０００５】
以下の構成はそれぞれ上記の課題を解決するための手段である。
【０００６】
＜構成１＞
海水中で海面に浮き上がる状態を維持する浮体と、
上記浮体に一体に固定された鉄イオン発生材からなり、
この鉄イオン発生材は、鉄分を含有する金属による塊、繊維、または粉体から構成されたことを特徴とする海水中の鉄イオン発生装置。
【０００７】
＜構成２＞
上記鉄イオン発生材は、鉄分を含む土を固めたものからなることを特徴とする構成１に記載の海水中の鉄イオン発生装置。
【０００８】
＜構成３＞
上記浮体は、自然木をカットして得られた木片からなることを特徴とする構成１に記載の海水中の鉄イオン発生装置。
【０００９】
＜構成４＞
上記浮体は、生分解プラスチックの発泡体または風船により構成されることを特徴とする構成１に記載の海水中の鉄イオン発生装置。
【００１０】
＜構成５＞
上記浮体は、固定された鉄イオン発生材の鉄分による鉄イオン供給機能が低下した後に分解して無害化されるサイズ、重量または形状に設定されていることを特徴とする構成１に記載の海水中の鉄イオン発生装置。
【００１１】
＜構成６＞
鉄分を含む土と炭の粉を混ぜて粉末にしたことを特徴とする構成１に記載の海水中の鉄イオン発生装置。
【００１２】
＜構成７＞
構成１乃至６のいずれかに記載の海水中の鉄イオン発生装置を海洋上に撒布して自由に浮遊させることを特徴とする大気中の炭酸ガス濃度低減方法。
【００１３】
＜構成８＞
構成１乃至６のいずれかに記載の海水中の鉄イオン発生装置を、港湾内の移動を制約された場所に浮遊させることを特徴とする大気中の炭酸ガス濃度低減方法。
【発明の効果】
【００１４】
＜構成１の効果＞
浮体に鉄イオン発生材を固定したので、海面で浮遊し、植物性プランクトンに活発に光合成をさせることができる。
＜構成２の効果＞
鉄分を多く含む土壌を有する地域で土を採取して、接着剤その他の手段で固めて浮体に固定すると、廉価で特性の良い鉄イオン発生材が得られる。
＜構成３の効果＞
鉄イオン発生機能が低下した場合には、海水中で無害化することが望ましい。木片は腐食して消滅するので、浮体として好適する。
＜構成４の効果＞
浮体を生分解プラスチックで構成すると、役割を終えた後に海水中で無害化する。
＜構成５の効果＞
鉄イオン発生材の機能低下後に無害化されるように、浮体のサイズを設定しておくと、海上に無用な浮遊物がいつまでも存在するのを防止できる。
＜構成７の効果＞
船舶の航行を阻害せず、海水を汚染するようなおそれのないものは、広く海上に撒布して、大気中の炭酸ガス濃度を低減させることができる。
＜構成８の効果＞
港湾内に移動を制限させることができれば、大気中の炭酸ガス濃度を低下させるだけでなく、港湾内に良好な漁場を構成できる。
【図面の簡単な説明】
【００１５】
【図１】実施例１の鉄イオン発生装置１２を示す横断面図である。
【図２】その使用状態を示す海面付近の横断面図である。
【図３】実施例２の鉄イオン発生装置１２の斜視図である。
【図４】実施例２の鉄イオン発生装置１２の変形例斜視図である。
【図５】実施例２の鉄イオン発生装置１２の別の変形例斜視図である。
【発明を実施するための形態】
【００１６】
以下、本発明の実施の形態を実施例毎に詳細に説明する。
【実施例１】
【００１７】
図１は実施例１の鉄イオン発生装置１２を示す横断面図である。図２はその使用状態を示す海面付近の横断面図である。
この鉄イオン発生装置１２は、図２に示すように海水中で海面１８付近に浮いて、その周辺の海水中に鉄イオンを発生させる。鉄イオン発生装置１２は、図１に示すように、海水中で海面１８に浮き上がる状態を維持する浮体１４と、その浮体１４に一体に固定された鉄イオン発生材１６からなる。
【００１８】
浮体１４には、例えば、自然木をカットして得られた木片等が適する。鉄イオン発生材１６は、例えば、鉄分を含有する金属による塊、繊維、または粉体等が適する。鉄イオン発生装置１２は、例えば、鉄分を多く含む土壌を有する地域で土を採取して、浮体１４と一体にして接着剤その他の手段で固めて製造することができる。
【００１９】
自然に存在する土を使用すると、廉価で特性の良い鉄イオン発生材が得られる。このように、鉄イオン発生材１６を付着させた浮体１４は、海面１８で浮遊して植物性プランクトンの発生を促進する。
【００２０】
植物性プランクトンが大量に発生すると、これらが活発に光合成をすることによって、大気中の炭酸ガスを取り込む。こうした構造の鉄イオン発生装置１２は、役割を終えると有害な残渣を生じないので、環境を汚染することがない。
【００２１】
上記のように、木片を浮体１４にすると、木片は腐食して自然に消滅する。例えば、浮体１４を生分解プラスチックの発泡体または風船等により構成すれば、鉄イオン発生機能が低下した場合に海水中で無害化させることができる。
【００２２】
なお、鉄イオン発生装置１２を例えば、外径数センチメートルのものにしておくと、大量に撒布しても船舶の航行を妨げず、海洋上に撒布して自由に浮遊させ、広範囲に採用することができる。広く世界中で採用すれば、大気中の炭酸ガス濃度を低減することが可能になる。
【００２３】
また、防波堤やテトラポット等により囲まれた、港湾内の移動を制約された場所に浮遊させると、その範囲で植物性プランクトンを大量発生させることができ、環境の浄化と同時に良好な漁場を確保できる。
【００２４】
なお、上記のように、時間の経過とともに浮体１４や鉄イオン発生装置１２全体を、鉄イオン発生材１６の機能低下後に無害化することができる。例えば、鉄イオン発生機能が半年で低下する場合には、半年後に腐敗分解して散逸するサイズに設計する。こうすれば、無用なものが海面をいつまでも浮遊するのを防止できる。
【実施例２】
【００２５】
図３〜図５は、本発明の鉄イオン発生装置１２の変形例斜視図である。
図３では、良く知られたブイのような浮体１４を使用する。この浮体１４の下面に、柱や綱のような担体１７を取り付けておく。この担体１７に鉄イオン発生材１６を接着剤等で固定する。なお、鉄イオン発生材１６が鉄線のような線条体であれば、担体１７に巻き付けたり縛り付けて固定すればよい。これは、港湾や近海に位置決めをして浮遊させておくのに適する。碇に縛り付けておいてもよい。浮体１４にＧＰＳと簡単な推進機構を内蔵させると、一定の場所で自動的に浮遊するように制御できる。
【００２６】
図４に示した鉄イオン発生装置１２は、ブイのような浮体１４に網２２を吊して、その中に鉄イオン発生材１６を収容した構造のものである。網２２の中に納めておけるものであれば、様々な鉄イオン発生材１６を利用できる。
【００２７】
図５に示した鉄イオン発生装置１２は、養殖等に使用する筏２４を浮体１４により浮遊させておきその筏２４に鉄イオン発生材１６を固定したものである。これは、環境の浄化と同時に漁場の拡大等に利用できる。なお、例えば、竹は大量に安価に取得できるので、竹を組んで枠状の浮体を構成するとよい。
【実施例３】
【００２８】
鉄分を含む粘土質の土に炭の粉を混ぜて乾燥させる。その後、その塊を砕いて微粉末にする。この微粉末を飛行機で広範囲に撒布する。炭の粉は比重が小さいから浮体の役割をする。撒布された微粉末は海面に漂って、ゆっくりと分解して沈んでいく。鉄と炭を混ぜ合わせたので、両者の接触面に電位差が生じて、鉄がイオン化し易くなる。従って、海面付近に植物性プランクトンを広範囲に大量に発生させることができる。
【符号の説明】
【００２９】
１２  鉄イオン発生装置
１４  浮体
１６  鉄イオン発生材
１７  担体
１８  海面
２０  柱
２２  袋
２４  筏
【図１】
2017127201.tif 000003
【図２】
2017127201.tif 000004
【図３】
2017127201.tif 000005
【図４】
2017127201.tif 000006
【図５】
2017127201.tif 000007